(57)【要約】      （修正有）【課題】収納時の省スペース化及び搬送時の軽量化に加えて、屋外設置でも、風によって設置位置から動かないようにすることを容易に実現できる自立式テントを提供すること。【解決手段】自立式テント１は、空気を注入して膨らむエアチューブによって内部空間が確保できる本体２と、本体２から外部空間に向かって、本体２が載置されている面に沿って、延出するように設けられている複数枚のシート体３とを有する。各シート体３には、筒形状の重量体４が載置されている。【選択図】図１
0003233837.tif 000002
【実用新案登録請求の範囲】
【請求項１】
空気を注入して膨らむエアチューブによって内部空間が確保できる本体と、
本体から外部空間に向かって、本体が載置されている面に沿って延出するように設けられているシート体とを有することを特徴とする自立式テント。
【請求項２】
シート体は本体に溶着されており、その溶着箇所は線状又は面状となっていることを特徴とする請求項１に記載の自立式テント。
【請求項３】
シート体は、重量物を巻き込こんだ状態を維持できる係止具を有することを特徴とする請求項１又は２に記載の自立式テント。
【考案の詳細な説明】
【技術分野】
【０００１】
本考案は空気を注入して膨らむエアチューブによって内部空間が確保できる自立式テントに関するものである。
【背景技術】
【０００２】
コロナウイルス等によるウイルス感染症の検査及び治療においては、ウイルスの拡散を防止するために、感染者又は感染の疑いがある者を隔離することが望ましい。
【０００３】
既存の建物内に隔離スペースを設ける場合が難しい場合がある。
【０００４】
そのような場合に、屋外のスペースにテントを設置することによって、ウイルスの拡散を防止しながら、ウイルス感染症の検査及び治療を行うことができる。
【０００５】
特に、テントの内部空間を陰圧にできれば、さらに、ウイルス拡散を防止する効果を高めることができる。
【０００６】
このような屋外スペースに設置できるテントとして、特開2005-2645号公報に示すものがある。
【０００７】
特開2005-2645号公報記載のテントでは、収納や運搬時の利便性を考慮して、エアチューブが骨格となっている。
【０００８】
しかしながら、エアチューブを用いたテントは軽いため、屋外のスペースに設置した場合に、風によって設置位置から動かないようにしなければならないという課題がある。
【先行技術文献】
【特許文献】
【０００９】
【特許文献１】特開２００５−２６４５号公報
【考案の概要】
【考案が解決しようとする課題】
【００１０】
そこで、上記問題を解決するために、収納時の省スペース化及び搬送時の軽量化に加えて、屋外でも、風によって設置位置から動かないようにすることを容易に実現できる自立式テントを提供することを目的とする。
【課題を解決するための手段】
【００１１】
請求項１の自立式テントは、空気を注入して膨らむエアチューブによって内部空間が確保できる本体と、本体から外部空間に向かって本体が載置されている面に沿って、延出するように設けられているシート体とを有する。
【００１２】
請求項１の自立式テントによれば、本体が、空気を注入して膨らむエアチューブによって内部空間が確保できるので、自立式テントの収納時の省スペース化及び搬送時の軽量化が実現できる。加えて、延出するように設けられているシート体の上に、重量物を載せるだけで、屋外でも、風によって本体が設置位置から動かないようにすることを容易に実現できる。
【００１３】
また、請求項１の自立式テントによれば、シート体が外部空間に向かって延出しているので、内部空間を犠牲にすることなく、シート体の上に重量物を載せることができる。
【００１４】
請求項２の自立式テントは、請求項１の自立式テントにおいて、シート体と本体との溶着は、線状又は面状となっている。
【００１５】
例えば、ロープやペグ等で本体を載置されている面に固定する方法もある。しかしながら、本体に風が繰り返し吹き付けられることによって、本体の一部に局所的に負荷がかかることが繰り返される可能性がある。そのため、局所的な負荷がかかった本体が破損する恐れがある。
【００１６】
請求項２の自立式テントは、請求項１の自立式テントにおいて、シート体は本体に溶着されており、その溶着箇所は線状又は面状となっている。
【００１７】
請求項２の自立式テントによれば、請求項１の自立式テントと同様の作用に加えて、シート体と本体との溶着は、線状又は面状となっていることによって、本体に風が繰り返し吹き付けられたとしても、本体に局所的な負荷がかかることを抑制することができる。
【００１８】
請求項３の自立式テントは、請求項１又は２の自立式テントにおいて、シート体は、重量物を巻き込こんだ状態を維持できる係止具を有する。
【００１９】
請求項３の自立式テントによれば、請求項１又は２の自立式テントと同様の作用に加えて、シート体は、重量物を巻き込こんだ状態を維持できるので、重量物がシート体から離れていくことを防止できる。
【考案の効果】
【００２０】
請求項１から３の自立式テントは、収納時の省スペース化及び搬送時の軽量化に加えて、屋外設置でも、風によって設置位置から動かないようにすることを容易に実現できる。
【図面の簡単な説明】
【００２１】
【図１】本考案の自立式テント及び重量物を示す３Ｄ斜視図である。
【図２】本考案の自立式テント及び重量物を示す正面上方からの３Ｄ斜視図である。
【図３】本考案の自立式テント及び重量物を示す側面上方からの３Ｄ斜視図である。
【考案を実施するための形態】
【００２２】
本考案の一実施形態の自立式テント１について図面に基づいて説明する。
【００２３】
自立式テント１は、ポリ塩化ビニルからなる。
【００２４】
自立式テント１は、本体２と、シート体３とを有する。
【００２５】
本体２は、エアチューブに空気を注入することによって、壁部、天井部、床部で囲まれた内部空間が確保できるようになっている。具体的には、エアチューブは空気を注入するとアーチ状に膨らむようになっている。
【００２６】
本体２は、この複数のエアチューブが本体２の長手方向に連続して並んだ状態で一体化されている。
【００２７】
連続して並んだ状態で一体化されたアーチ状の複数のエアチューブが、本体２の壁部と天井部の役割を果たす。
【００２８】
アーチ状のエアチューブによって、内部空間の天井部が曲面となり、閉塞感を減らすことができるようになっている。
【００２９】
エアチューブ内の空気層によって内部空間の断熱性、気密性を確保できるようになっている。
【００３０】
本体２の複数の空気注入口は設けられており、それぞれの空気注入口から空気が注入されるエアチューブは独立している。これにより、仮に一部のエアチューブが破損して空気が漏れてしまったとしても、自立式テント１は、残りのエアチューブで内部空間を確保したまま、自立することが可能となっている。
【００３１】
エアチューブの一部には、自立式テント１の内部空間側の面と外部空間側の面の対向する位置にそれぞれ透明なフィルムが設けられている。この透明なフィルムが本体２の窓２１の役割を果たす。窓２１が設けられていたとしても、対向する透明なフィルムの間にもエアチューブに注入された空気層が存在するので、内部空間の断熱性、気密性の低下を最小限に抑えることができる。
【００３２】
自立式テント１のそれぞれ透明なフィルムが設けられている内部空間側の面と外部空間側の面とが本体２の厚さ方向に離れている。これにより、日中に位置を変える太陽からの光が、外部空間側の透明なフィルムと内部空間側の透明なフィルムを連続して通過して、内部空間に直接差し込む時間を短くすることができる。
【００３３】
また、本体２は、内部空間の気圧を外部空間の気圧と異ならせるための機器や、内部空間の冷暖房用の配管、外部空間から内部空間への電気配線等で利用な可能な外部経路２２も設けられている。
【００３４】
自立式テント１は、本体２から外部空間に向かって、本体２が載置されている面に沿って延出するように設けられているシート体３を有する。
【００３５】
シート体３は、本体２に溶着されている。シート体３と本体２との溶着箇所は線状又は面状となっている
【００３６】
複数枚のシート体３が、本体２から延出している。各シート体３には、筒形状の重量体４が載置されている。
【００３７】
重量体４は、本体２と同じくポリ塩化ビニルからなる。重量体４は、注水口を有している。注水口から水を内部に入れることによって、図面に示すような筒形状の重量体４となる。使用後は、注水口から排水することによって、自立式テント１と同様に、収納時の省スペース化及び搬送時の軽量化を実現できる。
【００３８】
各シート体３の幅は、本体２の長手方向の幅に対応している。
【００３９】
延出するシート体３の基端は、アーチ状のエアチューブの下端近傍にある。したがって、シート体３上に重量体４を載置しておけば、本体２に風が吹きつけられても、エアチューブの下端が動かない。よって、本体２が設置位置から動かないようにすることができる。
【００４０】
また、図１〜図３には図示していないが、シート体は、重量物を巻き込こんだ状態を維持できる係止具を有していてもよい。係止具としては、例えば、ボタン、紐、面ファスナー、バックル等を利用できる。
【００４１】
上記実施形態では、自立式テント１は、ポリ塩化ビニルからなる場合について説明したが、これに限定されることはない。自立式テント１は、空気を注入して膨らむエアチューブが形成可能なポリエステル等の他の樹脂素材であってもよい。
【００４２】
上記実施形態では、エアチューブは空気を注入するとアーチ状に膨らむようになっている場合について説明したが、これに限定されることはない。エアチューブは空気を注入してアーチ状以外の形状に膨らむようになっていてもよい。
【００４３】
上記実施形態では、本体２は、この複数のエアチューブが本体２の長手方向に連続して並んだ状態で一体化されている場合について説明したが、これに限定されることはない。本体は、複数のエアチューブが本体の短手方向に連続して並んだ状態で一体化されていてもよい。加えて、本体は、例えば、この複数のエアチューブが間隔を空けて配置され、そのエアチューブ間に外部空間と内部空間との仕切り膜が設けられていてもよい。
【００４４】
上記実施形態では、重量体４が筒形状である場合について説明したが、これに限定されることはない。重量体は、各シート体に載置できるのあれば、筒形状以外の立体形状であってもよい。
【００４５】
上記実施形態では、各シート体３の幅は、本体２の長手方向の幅に対応している場合について説明したが、これに限定されることはない。各シート体３の幅は、本体２の長手方向に平行な幅を分割した幅となっており、同じ空気注入口から空気が注入されるエアチューブの本体の長手方向に平行な幅に対応していてもよい。
【符号の説明】
【００４６】
１     自立式テント
２     本体
３     シート体
４     重量体
【図１】
0003233837.tif 000003
【図２】
0003233837.tif 000004
【図３】
0003233837.tif 000005